(57)【要約】【課題】銘柄の異なる酒をそれぞれ異なった複数のテイスティング・グラスに銘柄別に注ぎ、この複数のテイスティング・グラスを１つのステイに乗せて試飲者に提供すること。【解決手段】テイスティング・グラスのフット・プレートを載置する台座と、台座に連接され、所定角度に折り曲げられ、テイスティング・グラスを支えるグラス保持部材と、からなり、液体をボウル部に収納したテイスティング・グラスを台座に複数個載置し、グラス保持部材によってテイスティング・グラスを抑え、複数個のテイスティング・グラスを一度に運べるようにする。【選択図】図６
2018050748.tif 000002
【特許請求の範囲】
【請求項１】
テイスティング・グラスのフット・プレートを載置する台座と、
前記台座に連接され、所定角度に折り曲げられ、前記テイスティング・グラスを支えるグラス保持部材と、
からなり、
液体をボウル部に収納した前記テイスティング・グラスを前記台座に複数個載置し、前記グラス保持部材によって前記テイスティング・グラスを抑え、該複数個のテイスティング・グラスを一度に運べるようにした
ことを特徴とするテイスティングトレイ。
【請求項２】
前記台座は、
長方形状の板状に形成され、前記テイスティング・グラスのフット・プレートの形状に合わせて掘り下げられ前記テイスティング・グラスのフット・プレートを乗せる凹部が形成され、前記テイスティング・グラスを該台座の長手方向に一列に複数個並べられるように構成されている
ことを特徴とする請求項１に記載のテイスティングトレイ。
【請求項３】
前記グラス保持部材には、
前記テイスティング・グラスの脚部を挟み込むスリットが複数個形成されており、前記台座の前記凹部に前記テイスティング・グラスのフット・プレートを乗せたときに前記テイスティング・グラスの脚部が前記スリットに挟み込まれるように構成されている
ことを特徴とする請求項１又は２に記載のテイスティングトレイ。
【請求項４】
前記グラス保持部材の前面には、
前記テイスティング・グラスのボウル部に注ぎ込まれている酒類、銘柄を示すカードを挿入するカードホルダーが設けられている
ことを特徴とする請求項１、２又は３に記載のテイスティングトレイ。
【請求項５】
前記台座と前記グラス保持部材は、
１枚の板状に形成される板部材を２つ折りに折り曲げ加工することによって断面くの字状に形成してなる
ことを特徴とする請求項１、２、３又は４に記載のテイスティングトレイ。
【請求項６】
前記台座と前記グラス保持部材は、
板状に形成される別々の板部材の端部を接着加工することによって断面くの字状に形成してなる
ことを特徴とする請求項１、２、３又は４に記載のテイスティングトレイ。
【請求項７】
板状に形成されるグラス保持部材と、
前記グラス保持部材に所定角度をもって固着され、テイスティング・グラスのフット・プレートを嵌合する貫通孔が形成される台座と、
前記台座の下面に貼り付けられ前記貫通孔を塞ぎ貫通孔の底部を形成する底板部材と、
からなり、
液体をボウル部に収納した前記テイスティング・グラスを前記台座に複数個載置し、前記グラス保持部材によって前記テイスティング・グラスを抑え、該複数個のテイスティング・グラスを一度に載せて運べるようにした
ことを特徴とするテイスティングトレイ。
【請求項８】
前記グラス保持部材の前面には、
前記テイスティング・グラスのボウル部に注ぎ込まれている酒類、銘柄を示すカードを挿入するカードホルダーが設けられている
ことを特徴とする請求項７に記載のテイスティングトレイ。
【発明の詳細な説明】
【技術分野】
【０００１】
本発明は、ワイングラスを複数個立てて運ぶグラストレイに係り、特にグラスのボウル部に酒を注入したワイングラスを試飲目的で複数種類の銘柄の異なる酒を複数個のワイングラスに注ぎ込み、複数個のワイングラスを一緒に運ぶことのできるテイスティングトレイに関するものである。
【背景技術】
【０００２】
近年、ワインブーム、日本酒ブームに乗って、ワインの瓶の栓、あるいは日本酒の瓶の栓を開けたとき、仕上がり状態を確かめるために試しに飲んでみる試飲が盛んに行われている。古くはウイスキーやブランデーの試飲が行われている。
これらウイスキー、ブランデー、ワインの試飲には、一般にテイスティング・グラスが用いられている。このテイスティング・グラスは、国際規格がＩＳＯ（国際基準協会）No.３５９１によって、形・寸法が定められており、ワインをはじめウイスキーやブランデーなどのお酒類のテイスティングに使われている。
【０００３】
テイスティング・グラスとしては、品種や産地などが異なる様々なワインを、全て同じ条件でテイスィングするために、ＩＮＡＯ（国立原産地名称研究所Institut National des Appellations d'Origine）によって認定されたワインのプロフェッショナルのためのグラスであるＩＮＡＯグラスがある。このＩＮＡＯグラスは、脚付きで、容量５〜８オンスのボウルでチューリップ型と決められている。このＩＮＡＯグラスは、スワリングしやすく、ワインが十分に空気接触できる形状となっている。
【０００４】
国際規格テイスティング・グラスとしては、ＩＮＡＯグラス（国際規格テイスティンググラス）が一般的となっている。このＩＮＡＯグラスが登場する前は、フランスの各ワイン産地において、ブルゴーニュではバルーン型（丸型）が、ボージョレでは口の開いた小さめのバルーン型など、それぞれに伝統的な試飲用ワイングラスが使われており、１９７０年頃に登場したＩＮＡＯグラスは、画期的なワイングラスであった。
【０００５】
ワインの取引においてはワインの味わいや香りよりも、ローブ（傾けた液体のふちの色合い）や濁りの有無が歴史的にも重要視され、ワイン売買においては品質の安定したワインを見極めることが重要であった。そこでワインの味わいや香りを判定しやすいグラスが開発され、試飲グラスの統一が図られ、ＩＮＡＯグラスが提案された。
【０００６】
このようにテイスティング・グラスについては、それに適した形状を有すると同時に試飲液量を容易に決定できる形状などが提案されている（例えば、特許文献１参照。）。
このようにテイスティング・グラスとしては、ＩＮＡＯグラスが提案され、統一が図られているが、このテイスティング・グラスを乗せるトレイについては提案されるには至っていない。
【０００７】
一般には、立食パーティー会場などで見かけるようにワインなどがあらかじめ注がれているグラスを四角あるいは円板状の板材の縁を上方向に折り曲げて創られているトレイの上に複数個乗せて、同時に運ぶ一般の万能トレイが使用されている。
このような一般的に使用されている万能トレイにお酒が注がれているグラスを乗せて運ぼうとすると、特にステンレス等の金属製のトレイの場合、トレイの上でグラスが移動し、トレイからグラスが落下するといった不具合があった。
【０００８】
そこで、従来、ワイングラスを立てた状態で保持したり、逆さにした状態で保持することのできるワイングラスホルダーが提案されている（例えば、特許文献２参照。）。
この提案されているワイングラスホルダーは、図１に示す如く、実施例では片側で５個、両側で１０個のワイングラスが保持できるようになっている。このワイングラスホルダーは、垂直に設けたワイングラスホルダー本体（１）の両側に、側板（２）を取り付け、その側板にワイングラス保持部材（７）をワイングラスが正立状態でかけられる位置と倒立状態でかけられる位置に斜めに係止できるように構成されている。
【０００９】
ワイングラスホルダー本体（１）の両側に取り付けた側板（２）に開口部が上になるように斜めの切り込みが上部（４）と下部（３）に設けられている。そして、ワイングラスホルダー本体（１）の側板（２）の切り込み（３）、（４）の位置は、ワイングラス保持部材（７）を差し込み、ワイングラスを挿入したときにワイングラスが底面に接触しない程度の高さに設定されている。このようにワイングラス保持部材（７）を側板（２）の下部切り込み（３）に挿入し、ワイングラスを正立状態で保持するワイングラスホルダーを完成させることができる。
ここで保持されるワイングラスは、斜めに設けた保持部材のスリット（５）にワイングラスの脚部（９）と台座部（１０）が接触し、３点で支持することで安定して保持されことになる。
【先行技術文献】
【特許文献】
【００１０】
【特許文献１】特開平１１−１９６９９４号公報
【特許文献２】特開２００４−２２３２３０号公報
【発明の概要】
【発明が解決しようとする課題】
【００１１】
このようにワイングラスホルダーの提案はされるものの、試飲するためのテイスティング・グラスを乗せるトレイについては未だに提案されるに至っていない。
すなわち、従来は、ワイングラスを立てた状態で保持したり、逆さにした状態で保持することのできるワイングラスホルダーが提案されているが、ワインのテイスティングを行う場合の、銘柄の異なる複数のワインをそれぞれ別々のテイスティング・グラスに注ぎ、それぞれについて比較するテイスティングトレイは未だない。
【００１２】
本発明は、上記した事情に鑑みてなされたもので、銘柄の異なる酒をそれぞれ異なった複数のテイスティング・グラスに銘柄別に注ぎ、この複数のテイスティング・グラスを１つのステイに乗せて試飲者に提供することのできるテイスティングトレイを提供することを目的としている。
【課題を解決するための手段】
【００１３】
上記課題を解決するためになされた請求項１に記載の本発明のテイスティングトレイは、テイスティング・グラスのフット・プレートを載置する台座と、
前記台座に連接され、所定角度に折り曲げられ、前記テイスティング・グラスを支えるグラス保持部材と、
からなり、
液体をボウル部に収納した前記テイスティング・グラスを前記台座に複数個載置し、前記グラス保持部材によって前記テイスティング・グラスを抑え、該複数個のテイスティング・グラスを一度に運べるようにしたことを特徴としている。
【００１４】
本願請求項１に記載の発明によれば、銘柄の異なる酒をそれぞれ異なった複数のテイスティング・グラスに銘柄別に注ぎ、この複数のテイスティング・グラスを１つのステイに乗せて試飲者に提供することができる。
また、本願請求項１に記載の発明によれば、液体をボウル部に収納したテイスティング・グラスを台座に複数個載置し、グラス保持部材によってテイスティング・グラスを抑え、複数個のテイスティング・グラスを一度に運ぶことができる。
【００１５】
上記課題を解決するためになされた請求項２に記載の本発明のテイスティングトレイは、請求項１に記載のテイスティングトレイの前記台座が、長方形状の板状に形成され、前記テイスティング・グラスのフット・プレートの形状に合わせて掘り下げられ前記テイスティング・グラスのフット・プレートを乗せる凹部が形成され、前記テイスティング・グラスを該台座の長手方向に一列に複数個並べられるように構成されていることを特徴としている。
【００１６】
本願請求項２に記載の発明によれば、銘柄の異なる酒をそれぞれ異なった複数のテイスティング・グラスに銘柄別に注ぎ、この複数のテイスティング・グラスのフット・プレートを凹部に収納載置することにより、安定して試飲者に提供することができる。
【００１７】
上記課題を解決するためになされた請求項３に記載の本発明のテイスティングトレイは、請求項１又は２に記載のテイスティングトレイの前記グラス保持部材に、前記テイスティング・グラスの脚部を挟み込むスリットが複数個形成されており、前記台座の前記凹部に前記テイスティング・グラスのフット・プレートを乗せたときに前記テイスティング・グラスの脚部が前記スリットに挟み込まれるように構成されていることを特徴としている。
【００１８】
本願請求項３に記載の発明によれば、台座の凹部にテイスティング・グラスのフット・プレートを乗せることによりテイスティング・グラスの脚部がグラス保持部材のスリットに挟み込まれるため、酒をボウル部に収納したテイスティング・グラスを安定して試飲者に提供することができる。
【００１９】
上記課題を解決するためになされた請求項４に記載の本発明のテイスティングトレイは、請求項１、２又は３に記載のテイスティングトレイの前記グラス保持部材の前面に、前記テイスティング・グラスのボウル部に注ぎ込まれている酒類、銘柄を示すカードを挿入するカードホルダーが設けられていることを特徴としている。
【００２０】
本願請求項４に記載の発明によれば、テイスティング・グラスのボウル部に注ぎ込まれている酒の銘柄を表示することができ、試飲している酒の銘柄を視認しながらテイスティングすることができる。
また、本願請求項４に記載の発明によれば、テイスティングする酒類、銘柄が変わる毎に、該当する酒類、銘柄名に対応する酒類、銘柄名の表示されているカードを差し替えるだけで試飲する酒類、銘柄名を表示することができる。
【００２１】
上記課題を解決するためになされた請求項５に記載の本発明のテイスティングトレイは、請求項１、２、３又は４に記載のテイスティングトレイの前記台座と前記グラス保持部材が、１枚の板状に形成される板部材を２つ折りに折り曲げ加工することによって断面くの字状に形成してなることを特徴としている。
【００２２】
本願請求項５に記載の発明によれば、テイスティングトレイの台座とグラス保持部材を、１枚の板状に形成される板部材を２つ折りに折り曲げ加工することによって断面くの字状に形成してあるため、容易に製造することができ、台座とグラス保持部材のつなぎ目の強度を高くすることができる。
【００２３】
上記課題を解決するためになされた請求項６に記載の本発明のテイスティングトレイは、請求項１、２、３又は４に記載のテイスティングトレイの前記台座と前記グラス保持部材を、板状に形成される別々の板部材の端部を接着加工することによって断面くの字状に形成してなることを特徴としている。
【００２４】
本願請求項６に記載の発明によれば、テイスティングトレイの台座とグラス保持部材のつなぎ目を鋭角に形成することができる。
【００２５】
上記課題を解決するためになされた請求項７に記載の本発明のテイスティングトレイは、板状に形成されるグラス保持部材と、
前記グラス保持部材に所定角度をもって固着され、テイスティング・グラスのフット・プレートを嵌合する貫通孔が形成される台座と、
前記台座の下面に貼り付けられ前記貫通孔を塞ぎ貫通孔の底部を形成する底板部材と、
からなり、
液体をボウル部に収納した前記テイスティング・グラスを前記台座に複数個載置し、前記グラス保持部材によって前記テイスティング・グラスを抑え、該複数個のテイスティング・グラスを一度に載せて運べるようにしたことを特徴としている。
【００２６】
本願請求項７に記載の発明によれば、銘柄の異なる酒をそれぞれ異なった複数のテイスティング・グラスに銘柄別に注ぎ、この複数のテイスティング・グラスを１つのステイに乗せて試飲者に提供することができる。
また、本願請求項７に記載の発明によれば、液体をボウル部に収納したテイスティング・グラスを台座に複数個載置し、グラス保持部材によってテイスティング・グラスを抑え、複数個のテイスティング・グラスを一度に運ぶことができる。
【００２７】
上記課題を解決するためになされた請求項８に記載の本発明のテイスティングトレイは、請求項７に記載のテイスティングトレイの前記グラス保持部材の前面に、前記テイスティング・グラスのボウル部に注ぎ込まれている酒類、銘柄を示すカードを挿入するカードホルダーが設けられていることを特徴としている。
【００２８】
本願請求項８に記載の発明によれば、テイスティング・グラスのボウル部に注ぎ込まれている酒の銘柄を表示することができ、試飲している酒の銘柄を視認しながらテイスティングすることができる。
また、本願請求項８に記載の発明によれば、テイスティングする酒類、銘柄が変わる毎に、該当する酒類、銘柄名に対応する酒類、銘柄名の表示されているカードを差し替えるだけで試飲する酒類、銘柄名を表示することができる。
【図面の簡単な説明】
【００２９】
【図１】本発明に係るテイスティングトレイの第１実施例を示す全体斜視図である。
【図２】図１に図示のテイスティングトレイの裏面側から見た全体斜視図である。
【図３】図１に図示のテイスティングトレイの側面図である。
【図４】図３に図示のテイスティングトレイの断面図である。
【図５】図１に図示のテイスティングトレイの使用状態を示すテイスティング・グラス保持部材の正面側から見た全体斜視図である。
【図６】図５に図示のテイスティングトレイの使用状態をテイスティング・グラス保持部材の裏面側から見た全体斜視図である。
【図７】本発明に係るテイスティングトレイの第２実施例を示すテイスティング・グラス保持部材の正面側から見た全体斜視図である。
【図８】図７に図示のカードホルダーの全体斜視図である。
【図９】本発明に係るテイスティングトレイの第３実施例を示すテイスティング・グラス保持部材の正面側から見た全体斜視図である。
【図１０】図９に図示のテイスティング・グラス保持部材に取り付ける台座と、該台座に取り付ける低板の正面側から見た全体斜視図である。
【図１１】図９に図示のテイスティングトレイの組立斜視図である。
【図１２】図１１に図示のテイスティングトレイの断面図である。
【図１３】本発明に係るテイスティングトレイの第４実施例を示すテイスティング・グラス保持部材の正面側から見た全体斜視図である。
【図１４】図１３に図示のカードホルダーの全体斜視図である。
【発明の実施の形態】
【００３０】
以下、本発明に係るテイスティングトレイの実施例について図面を用いて説明する。
［第１実施例］
図１〜図６には、本発明のテイスティングトレイの第１実施例が示されている。
図１は本発明に係るテイスティングトレイの第１実施例を示す全体斜視図、図２は図１に図示のテイスティングトレイの裏面側から見た全体斜視図、図３は図１に図示のテイスティングトレイの側面図、図４は図３に図示のテイスティングトレイの断面図、図５は図１に図示のテイスティングトレイの使用状態を示すテイスティング・グラス保持部材の正面側から見た全体斜視図、図６は図５に図示のテイスティングトレイの使用状態をテイスティング・グラス保持部材の裏面側から見た全体斜視図である。
【００３１】
図１において、本発明に係るテイスティングトレイ１は、板状に形成される板部材２を図３に示す如く２つに折り曲げ、加工することによって断面くの字に形成し、テイスティング・グラス１０を載置する台座３と、テイスティング・グラス１０を保持するグラス保持部材４が形成されている。
台座３の下面３ａには、図４に示す如く、台板５が台座３と一体に設けられている。そして、この台座３の上面３ｂには、には、図２に示す如く、円形状の凹部６が設けられている。この凹部６は、台座３に載置するテイスティング・グラス１０の数の分設けられている。この凹部６は、本実施例においては、５つ設けられている。この凹部６には、テイスティング・グラス１０のフット・プレート１１が嵌合載置されるようになっている。
【００３２】
台座３と一体に形成され、折り曲げることによって形成されるグラス保持部材４には、テイスティング・グラス１０の脚部１２を挟み込むスリット７が適宜間隔で設けられている。このスリット７は、台座３に載置するテイスティング・グラス１０の数の分設けられている。このスリット７は、本実施例においては、５つ設けられている。このスリット７には、台座３に載置されたテイスティング・グラス１０の脚部１２が挟み込まれる。
このスリット７の深さは、テイスティング・グラス１０のフット・プレート１１を台座３に設けられている円形の凹部６に嵌合して、凹部６の底部を形成する台板５に載置した際に、テイスティング・グラス１０の脚部１２がスリット７の先端部７ａに当接するように形成されている。
【００３３】
台座３に対するグラス保持部材４の折り曲げ角度は、テイスティング・グラス１０のフット・プレート１１を台座３に設けられている円形の凹部６に嵌合して、凹部６の底部を形成する台板５に載置した際に、テイスティング・グラス１０のボウル部１３がグラス保持部材４のスリット７から突出し、テイスティング・グラス１０の脚部１２がグラス保持部材４のスリット７に収まるような角度に保持されている。
このようにグラス保持部材４に形成されるスリット７の位置は、テイスティング・グラス１０の脚部１２を挟み込み、テイスティング・グラス１０のフット・プレート１１を台座３の凹部６に載置した際に、凹部６の深さの分テイスティング・グラス１０が下がり、グラス保持部材４のスリット７のエッジよりもテイスティング・グラス１０のボウル部１３の下側の膨らみ部分が下がるような位置になっている。
【００３４】
このようにテイスティング・グラス１０のフット・プレート１１を台座３の凹部６に載置したとき、グラス保持部材４のスリット７のエッジが、テイスティング・グラス１０のボウル部１３よりも上に僅か突出するように構成するのは、テイスティングトレイ１を誤って台座３とグラス保持部材４の開口部側に傾けてしまったときに、テイスティング・グラス１０がテイスティングトレイ１から落下するのを防止するためである。
【００３５】
テイスティングトレイ１を形成する台座３の上面３ｂで、台座３とグラス保持部材４との折り曲げ部８の適宜個所には、図２に示す如く、リブ９が複数個設けられている。このリブ９は、本実施例においては、２つ設けられている。このリブ９は、台座３とグラス保持部材４との折り曲げ部８を補強するためのものである。
【００３６】
テイスティング・グラス１０を持って、テイスティング・グラス１０の脚部１２をテイスティングトレイ１のグラス保持部材４のスリット７に嵌め込む。しかる後、テイスティング・グラス１０の脚部１２をスリット７に沿ってスリット７内を摺動させて、テイスティング・グラス１０のボウル部１３を下げ、テイスティング・グラス１０のフット・プレート１１をテイスティングトレイ１の台座３の凹部６に、図６に示す如く、載置する。
このようにテイスティング・グラス１０のフット・プレート１１をテイスティングトレイ１の台座３の凹部６に置くことにより、テイスティング・グラス１０の脚部１２がグラス保持部材４のスリット７の奥に納まり、グラス保持部材４のスリット７の挿入口がテイスティング・グラス１０のボウル部１３よりも上に僅か突出するようになる。
【００３７】
このようにテイスティング・グラス１０のフット・プレート１１をテイスティングトレイ１の台座３の凹部６によって押さえテイスティング・グラス１０の脚部１２をグラス保持部材４のスリット７のエッジによって押さえることにより、台座３とグラス保持部材４の開口部側にテイスティングトレイ１を誤って傾けててもテイスティング・グラス１０がテイスティングトレイ１から落下するのが防止される。
【００３８】
［第２実施例］
図７〜図８には、本発明のテイスティングトレイの第２実施例が示されている。
図７は本発明に係るテイスティングトレイの第２実施例を示すテイスティング・グラス保持部材の正面側から見た全体斜視図、図８は図７に図示のカードホルダーの全体斜視図である。
【００３９】
図７において、本発明に係るテイスティングトレイ１は、図１に示されるテイスティングトレイの第１実施例と同様、板状に形成される板部材２を図３に示す如く２つに折り曲げ、加工することによって断面くの字状に形成し、テイスティング・グラス１０を載置する台座３と、テイスティング・グラス１０を保持するグラス保持部材４が形成されている。
第２実施例が図１に図示の第１実施例と異なる点は、グラス保持部材４の前面にカードホルダー２０が設けられている点である。すなわち、図７において、グラス保持部材４の前面には、カード２１を挿入するための左ホルダー２２と、右ホルダー２３とが設けられており、この左ホルダー２２と、右ホルダー２３とによってカードホルダー２０が構成されている。
【００４０】
左ホルダー２２は、カード２１の左側端部を保持するもので、右ホルダー２２は、カード２１の右側端部を保持するものである。左ホルダー２２は、図８に示す如く、２つの辺２４、２５を備え、この２つの辺２４、２５が一体となって略Ｌ字状に形成されている。そして、２つの辺２４、２５の下端部には、底部２６が形成されており、カード２１を挿入した際にカード２１が下部から落下しないようになっている。
また、右ホルダー２３は、図８に示す如く、２つの辺２７、２８を備え、この２つの辺２７、２８が一体となって略Ｌ字状に形成されている。そして、２つの辺２７、２８の下端部には、底部２９が形成されており、カード２１を挿入した際にカード２１が下部から落下しないようになっている。
【００４１】
本実施例によれば、テイスティングトレイ１の台座３の上面３ｂの凹部６に載置したテイスティング・グラス１０のボウル部１３に注がれたワイン、ウイスキー、日本酒等の酒類、銘柄等を表示することができる。したがって、本実施例によれば、テイスティングのためテイスティング・グラス１０を受け取る際に、
受け取ろうとするテイスティング・グラス１０のボウル部１３に注がれているワイン、ウイスキー、日本酒等の酒類、銘柄等について容易に確認することができる。
また、本実施例によれば、ボウル部１３に注がれたワイン、ウイスキー、日本酒等の酒類、銘柄等とは異なったワイン、ウイスキー、日本酒等の酒類、銘柄等がボウル部１３に注がれたテイスティング・グラス１０に変える際に、テイスティングを行うテイスティング・グラス１０に注がれたカードホルダー２０に入れてあったワイン、ウイスキー、日本酒等の酒類の銘柄等が表示されたカード２１を入れ替えるだけで直ぐにテイスティング・グラス１０のボウル部１３に注がれたワイン、ウイスキー、日本酒等の酒類、銘柄等を表示することができる。
【００４２】
［第３実施例］
図９〜図１２には、本発明のテイスティングトレイの第３実施例が示されている。
図９は本発明に係るテイスティングトレイの第３実施例を示すテイスティング・グラス保持部材の正面側から見た全体斜視図、図１０は図９に図示のテイスティング・グラス保持部材に取り付ける台座と、該台座に取り付ける低板の正面側から見た全体斜視図、図１１は図９に図示のテイスティングトレイの組立斜視図、図１２は図１１に図示のテイスティングトレイの断面図である。
【００４３】
図９〜図１０において、本発明に係るテイスティングトレイ３０は、板状に形成されるグラス保持部材３１と、テイスティング・グラス１０を収納する台座３２と、テイスティング・グラス１０を載置保持する底板部材３３とによって形成されている。
グラス保持部材３１は、図９に示す如く、矩形状の板材からなり、グラス保持部材３１の一端３１ａには適宜間隔でスリット３４が複数個形成されている。このスリット３４は、その深さがテイスティング・グラス１０のフット・プレート１１を台座３２に載置した際に、テイスティング・グラス１０の脚部１２がスリット３４の先端部３４ａに当接するように形成されている。
【００４４】
台座３２は、図１０に示す如く、矩形状の板材からなり、テイスティング・グラス１０のフット・プレート１１の形状と同じ形状の貫通孔３５が適宜間隔で設けられている。本実施例においては、貫通孔３５の形状がテイスティング・グラス１０のフット・プレート１１の形状と同じ形状に形成されているが、この貫通孔３５の形状は、必ずしもテイスティング・グラス１０のフット・プレート１１の形状と同じ形状である必要はなく、少なくともテイスティング・グラス１０のフット・プレート１１が収納できる形状をしていれば良い。
この貫通孔３５は、台座３２に載置するテイスティング・グラス１０の数の分設けられている。この貫通孔３５は、本実施例においては、５つ設けられている。この貫通孔３５には、台座３２に載置されたテイスティング・グラス１０のフット・プレート１１が嵌合されるようになっている。
【００４５】
また、台座３２の後端部（図１０における奥側端部）には、図１０に示す如く、台座３２の上面３２ａ側から台座３２の下面３２ｂ側に向かってテーパー面３６が形成されている。この台座３２のテーパー面３６には、グラス保持部材３１の内側の面３２ｂ（図１１における手前側の面）のスリット３４が形成されていない側の端部３１ｃが固着されるようになっている。
さらに、台座３２の上面３２ａで、後端部（図１０における奥側端部）には、リブ３７、３８が設けられている。このリブ３７、３８は、本実施例においては、２つ設けられている。このリブ３７、３８は、台座３２とグラス保持部材３１との固着部分であるテーパー面３６の接着部を補強するためのものである。
【００４６】
台座３２の下面３２ｂ側には、図１０に示す如く、貫通孔３５の下側を塞ぐため底板部材３３が固着されている。この底板部材３３は、台座３２同様、図１０に示す如く、矩形状の板材からなり、台座３２の矩形状の板材よりも若干小さい形状となっている。
この底板部材３３を台座３２の下面３２ｂ側に当てることにより、台座３２に形成される貫通孔３５の底部が形成されている。この台座３２に形成される貫通孔３５の底部を形成する貫通孔３５にテイスティング・グラス１０のフット・プレート１１を嵌合し、台座３２の上に載置すると、テイスティング・グラス１０の脚部１２がグラス保持部材３１のスリット３４の先端部３４ａに当接するように形成される。
【００４７】
［第４実施例］
図１３〜図１４には、本発明のテイスティングトレイの第４実施例が示されている。
図１３は本発明に係るテイスティングトレイの第４実施例を示すテイスティング・グラス保持部材の正面側から見た全体斜視図、図１４は図１３に図示のカードホルダーの全体斜視図である。
【００４８】
図１３において、本発明に係るテイスティングトレイ４０（図示せず）は、図９に示されるテイスティングトレイの第３実施例と同様、板状に形成されるグラス保持部材４１と、テイスティング・グラス１０を収納する台座３２と、テイスティング・グラス１０を載置保持する底板部材３３とによって形成されている。
第４実施例が図１に図示の第３実施例と異なる点は、グラス保持部材３１の前面にカードホルダー５０が設けられている点である。すなわち、図１３において、グラス保持部材４１の前面には、カード４２を挿入するための左ホルダー５１と、右ホルダー５２とが設けられており、この左ホルダー５１と、右ホルダー５２とによってカードホルダー５０が構成されている。
【００４９】
左ホルダー５１は、カード４２の左側端部４２ａを保持するもので、右ホルダー５２は、カード２１の右側端部４２ｂを保持するものである。左ホルダー５１は、図１４に示す如く、２つの辺５３、５４を備え、この２つの辺５３、５４が一体となって略Ｌ字状に形成されている。そして、２つの辺５３、５４の下端部には、底部５５が形成されており、カード４２を挿入した際にカード４２が下部から落下しないようになっている。
また、右ホルダー５２は、図１４に示す如く、２つの辺５６、５７を備え、この２つの辺５６、５７が一体となって略Ｌ字状に形成されている。そして、２つの辺５６、５７の下端部には、底部５８が形成されており、カード４２を挿入した際にカード４２が下部から落下しないようになっている。
【００５０】
本実施例によれば、テイスティングトレイの台座３２の上面３２ａの凹部６に載置したテイスティング・グラス１０のボウル部１３に注がれたワイン、ウイスキー、日本酒等の酒類、銘柄等を表示することができる。したがって、本実施例によれば、テイスティングのためテイスティング・グラス１０を受け取る際に、受け取ろうとするテイスティング・グラス１０のボウル部１３に注がれているワイン、ウイスキー、日本酒等の酒類、銘柄等について容易に確認することができる。
また、本実施例によれば、ボウル部１３に注がれたワイン、ウイスキー、日本酒等の酒類、銘柄等とは異なったワイン、ウイスキー、日本酒等の酒類、銘柄等がボウル部１３に注がれたテイスティング・グラス１０に変える際に、テイスティングを行うテイスティング・グラス１０に注がれたカードホルダー４２に入れてあったワイン、ウイスキー、日本酒等の酒類の銘柄等が表示されたカード４２を入れ替えるだけで直ぐにテイスティング・グラス１０のボウル部１３に注がれたワイン、ウイスキー、日本酒等の酒類、銘柄等を表示することができる。
【００５１】
この他、本発明は本発明の主旨を変えない範囲で種々変更実施可能なことは勿論である。
【符号の説明】
【００５２】
１，３０，４０…………テイスティングトレイ
２…………………………板部材
３，３２…………………台座
４，３１，４１…………グラス保持部材
６…………………………凹部
７…………………………スリット
８…………………………折り曲げ部
９，３７，３８…………リブ
１０…………………………テイスティング・グラス
１１…………………………フット・プレート
１２…………………………脚部
１３…………………………ボウル部
１４…………………………
２０，５０…………………カードホルダー
２１，４２…………………カード
２２，５１…………………左ホルダー
２３，５２…………………右ホルダー
３３…………………………底板部材
３６…………………………テーパー面
３５…………………………貫通孔
【図１】
2018050748.tif 000003
【図２】
2018050748.tif 000004
【図３】
2018050748.tif 000005
【図４】
2018050748.tif 000006
【図５】
2018050748.tif 000007
【図６】
2018050748.tif 000008
【図７】
2018050748.tif 000009
【図８】
2018050748.tif 000010
【図９】
2018050748.tif 000011
【図１０】
2018050748.tif 000012
【図１１】
2018050748.tif 000013
【図１２】
2018050748.tif 000014
【図１３】
2018050748.tif 000015
【図１４】
2018050748.tif 000016
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
テイスティング・グラスのフット・プレートを載置する台座と、
前記台座に連接され、所定角度に折り曲げられ、前記テイスティング・グラスを支えるグラス保持部材と、
からなり、
前記台座は、
長方形状の板状に形成され、前記テイスティング・グラスのフット・プレートの形状に合わせて掘り下げられ前記テイスティング・グラスのフット・プレートを乗せる凹部が形成され、前記テイスティング・グラスを該台座の長手方向に一列に複数個並べられるように構成され、
前記グラス保持部材には、
前記テイスティング・グラスの脚部を挟み込むスリットが複数個形成されており、前記台座の前記凹部に前記テイスティング・グラスのフット・プレートを乗せたときに前記テイスティング・グラスの脚部が前記スリットに挟み込まれるように構成され、
前記グラス保持部材が、前記台座に対して傾斜し、該グラス保持部材のスリットのエッジよりも前記テイスティング・グラスのボウル部の下側の膨らみ部分が下がるような位置になっており、
液体をボウル部に収納した前記テイスティング・グラスを前記台座に複数個載置し、前記グラス保持部材によって前記テイスティング・グラスを抑え、該複数個のテイスティング・グラスを一度に運べるようにした
ことを特徴とするテイスティングトレイ。
【請求項２】
前記グラス保持部材の前面には、
前記テイスティング・グラスのボウル部に注ぎ込まれている酒類、銘柄を示すカードを挿入するカードホルダーが設けられている
ことを特徴とする請求項１に記載のテイスティングトレイ。
【請求項３】
前記台座と前記グラス保持部材は、
１枚の板状に形成される板部材を２つ折りに折り曲げ加工することによって断面くの字状に形成してなる
ことを特徴とする請求項１又は２に記載のテイスティングトレイ。
【請求項４】
前記台座と前記グラス保持部材は、
板状に形成される別々の板部材の端部を接着加工することによって断面くの字状に形成してなる
ことを特徴とする請求項１又は２に記載のテイスティングトレイ。
【手続補正２】
【補正対象書類名】明細書
【補正対象項目名】００１３
【補正方法】変更
【補正の内容】
【００１３】
上記課題を解決するためになされた請求項１に記載の本発明のテイスティングトレイは、テイスティング・グラスのフット・プレートを載置する台座と、
前記台座に連接され、所定角度に折り曲げられ、前記テイスティング・グラスを支えるグラス保持部材と、
からなり、
前記台座は、
長方形状の板状に形成され、前記テイスティング・グラスのフット・プレートの形状に合わせて掘り下げられ前記テイスティング・グラスのフット・プレートを乗せる凹部が形成され、前記テイスティング・グラスを該台座の長手方向に一列に複数個並べられるように構成され、
前記グラス保持部材には、
前記テイスティング・グラスの脚部を挟み込むスリットが複数個形成されており、前記台座の前記凹部に前記テイスティング・グラスのフット・プレートを乗せたときに前記テイスティング・グラスの脚部が前記スリットに挟み込まれるように構成され、
前記グラス保持部材が、前記台座に対して傾斜し、該グラス保持部材のスリットのエッジよりも前記テイスティング・グラスのボウル部の下側の膨らみ部分が下がるような位置になっており、
液体をボウル部に収納した前記テイスティング・グラスを前記台座に複数個載置し、前記グラス保持部材によって前記テイスティング・グラスを抑え、該複数個のテイスティング・グラスを一度に運べるようにした
ことを特徴としている。
【手続補正３】
【補正対象書類名】明細書
【補正対象項目名】００１４
【補正方法】変更
【補正の内容】
【００１４】
本願請求項１に記載の発明によれば、銘柄の異なる酒をそれぞれ異なった複数のテイスティング・グラスに銘柄別に注ぎ、この複数のテイスティング・グラスを１つのステイに乗せて試飲者に提供することができる。
また、本願請求項１に記載の発明によれば、液体をボウル部に収納したテイスティング・グラスを台座に複数個載置し、グラス保持部材によってテイスティング・グラスを抑え、複数個のテイスティング・グラスを一度に運ぶことができる。
さらに、本願請求項１に記載の発明によれば、銘柄の異なる酒をそれぞれ異なった複数のテイスティング・グラスに銘柄別に注ぎ、この複数のテイスティング・グラスのフット・プレートを凹部に収納載置することにより、安定して試飲者に提供することができる。
そして、本願請求項１に記載の発明によれば、台座の凹部にテイスティング・グラスのフット・プレートを乗せることによりテイスティング・グラスの脚部がグラス保持部材のスリットに挟み込まれるため、酒をボウル部に収納したテイスティング・グラスを安定して試飲者に提供することができる。
【手続補正４】
【補正対象書類名】明細書
【補正対象項目名】００１５
【補正方法】変更
【補正の内容】
【００１５】
上記課題を解決するためになされた請求項２に記載の本発明のテイスティングトレイは、請求項１に記載のテイスティングトレイの前記グラス保持部材の前面に、前記テイスティング・グラスのボウル部に注ぎ込まれている酒類、銘柄を示すカードを挿入するカードホルダーが設けられていることを特徴としている。
【手続補正５】
【補正対象書類名】明細書
【補正対象項目名】００１６
【補正方法】変更
【補正の内容】
【００１６】
本願請求項２に記載の発明によれば、テイスティング・グラスのボウル部に注ぎ込まれている酒の銘柄を表示することができ、試飲している酒の銘柄を視認しながらテイスティングすることができる。
また、本願請求項２に記載の発明によれば、テイスティングする酒類、銘柄が変わる毎に、該当する酒類、銘柄名に対応する酒類、銘柄名の表示されているカードを差し替えるだけで試飲する酒類、銘柄名を表示することができる。
【手続補正６】
【補正対象書類名】明細書
【補正対象項目名】００１７
【補正方法】変更
【補正の内容】
【００１７】
上記課題を解決するためになされた請求項３に記載の本発明のテイスティングトレイは、請求項１又は２に記載のテイスティングトレイの前記台座と前記グラス保持部材が、１枚の板状に形成される板部材を２つ折りに折り曲げ加工することによって断面くの字状に形成してなることを特徴としている。
【手続補正７】
【補正対象書類名】明細書
【補正対象項目名】００１８
【補正方法】変更
【補正の内容】
【００１８】
本願請求項３に記載の発明によれば、テイスティングトレイの台座とグラス保持部材を、１枚の板状に形成される板部材を２つ折りに折り曲げ加工することによって断面くの字状に形成してあるため、容易に製造することができ、台座とグラス保持部材のつなぎ目の強度を高くすることができる。
【手続補正８】
【補正対象書類名】明細書
【補正対象項目名】００１９
【補正方法】変更
【補正の内容】
【００１９】
上記課題を解決するためになされた請求項４に記載の本発明のテイスティングトレイは、請求項１又は２に記載のテイスティングトレイの前記台座と前記グラス保持部材を、板状に形成される別々の板部材の端部を接着加工することによって断面くの字状に形成してなることを特徴としている。
【手続補正９】
【補正対象書類名】明細書
【補正対象項目名】００２０
【補正方法】変更
【補正の内容】
【００２０】
本願請求項４に記載の発明によれば、テイスティングトレイの台座とグラス保持部材のつなぎ目を鋭角に形成することができる。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】変更
【補正の内容】
【００２９】
【図１】本発明に係るテイスティングトレイの第１実施例を示す全体斜視図である。
【図２】図１に図示のテイスティングトレイの裏面側から見た全体斜視図である。
【図３】図１に図示のテイスティングトレイの側面図である。
【図４】図３に図示のテイスティングトレイの断面図である。
【図５】図１に図示のテイスティングトレイの使用状態を示すテイスティング・グラス保持部材の正面側から見た全体斜視図である。
【図６】図５に図示のテイスティングトレイの使用状態をテイスティング・グラス保持部材の裏面側から見た全体斜視図である。
【図７】本発明に係るテイスティングトレイの第２実施例を示すテイスティング・グラス保持部材の正面側から見た全体斜視図である。
【図８】図７に図示のカードホルダーの全体斜視図である。
【図９】本発明に係るテイスティングトレイの第３実施例を示すテイスティング・グラス保持部材の正面側から見た全体斜視図である。
【図１０】図９に図示のテイスティング・グラス保持部材に取り付ける台座と、該台座に取り付ける底板の正面側から見た全体斜視図である。
【図１１】図９に図示のテイスティングトレイの組立斜視図である。
【図１２】図１１に図示のテイスティングトレイの断面図である。
【図１３】本発明に係るテイスティングトレイの第４実施例を示すテイスティング・グラス保持部材の正面側から見た全体斜視図である。
【図１４】図１３に図示のカードホルダーの全体斜視図である。
【手続補正１９】
【補正対象書類名】明細書
【補正対象項目名】００４８
【補正方法】変更
【補正の内容】
【００４８】
図１３において、本発明に係るテイスティングトレイ４０（図示せず）は、図９に示されるテイスティングトレイの第３実施例と同様、板状に形成されるグラス保持部材３１と、テイスティング・グラス１０を収納する台座３２と、テイスティング・グラス１０を載置保持する底板部材３３とによって形成されている。
第４実施例が図１に図示の第３実施例と異なる点は、グラス保持部材３１の前面にカードホルダー５０が設けられている点である。すなわち、図１３において、グラス保持部材４１の前面には、カード４２を挿入するための左ホルダー５１と、右ホルダー５２とが設けられており、この左ホルダー５１と、右ホルダー５２とによってカードホルダー５０が構成されている。
【手続補正２０】
【補正対象書類名】明細書
【補正対象項目名】００４９
【補正方法】変更
【補正の内容】
【００４９】
左ホルダー５１は、カード４２の左側端部４２ａを保持するもので、右ホルダー５２は、カード４２の右側端部４２ｂを保持するものである。左ホルダー５１は、図１４に示す如く、２つの辺５３、５４を備え、この２つの辺５３、５４が一体となって略Ｌ字状に形成されている。そして、２つの辺５３、５４の下端部には、底部５５が形成されており、カード４２を挿入した際にカード４２が下部から落下しないようになっている。
また、右ホルダー５２は、図１４に示す如く、２つの辺５６、５７を備え、この２つの辺５６、５７が一体となって略Ｌ字状に形成されている。そして、２つの辺５６、５７の下端部には、底部５８が形成されており、カード４２を挿入した際にカード４２が下部から落下しないようになっている。
【手続補正２１】
【補正対象書類名】明細書
【補正対象項目名】００５２
【補正方法】変更
【補正の内容】
【００５２】
１，３０，４０…………テイスティングトレイ
２…………………………板部材
３，３２…………………台座
４，３１，４１…………グラス保持部材
６…………………………凹部
７…………………………スリット
８…………………………折り曲げ部
９，３７，３８…………リブ
１０…………………………テイスティング・グラス
１１…………………………フット・プレート
１２…………………………脚部
１３…………………………ボウル部
２０，５０…………………カードホルダー
２１，４２…………………カード
２２，５１…………………左ホルダー
２３，５２…………………右ホルダー
３３…………………………底板部材
３６…………………………テーパー面
３５…………………………貫通孔